(57)【要約】【課題】デジタル放送を行っている放送局をオートシークにより自動的に早く検出することができるＩＢＯＣ放送受信機を提供する。【解決手段】ＩＢＯＣ放送受信機において、デジタル放送を行っている放送局をオートシークする際に、アナログ放送およびデジタル放送がされていない周波数においてはデジタル放送であるか否かのチェックを行わず、次のシーク対象の周波数からシークを行わせて（ステップＳ２）、早期にデジタル放送を行っている放送局を探す。【選択図】        図２
2005012593.tif 000002
【特許請求の範囲】
【請求項１】
ＩＢＯＣ放送受信機において、デジタル放送を行っている放送局をオートシークする際に、アナログ放送およびデジタル放送がされていない周波数においてはデジタル放送であるか否かのチェックを行わず、次のシーク対象の周波数からシークを行わせることを特徴とするＩＢＯＣ放送受信機。
【発明の詳細な説明】
【０００１】
【発明の属する技術分野】
本発明はアナログサイドバンドの外側周波数帯域にデジタル情報を配置して同一放送周波数で放送するイン・バンド・オン・チャンネル（ＩＢＯＣ）放送局からの放送を受信するＩＢＯＣ放送受信機に関する。
【０００２】
【従来の技術】
アナログサイドバンドの外側周波数帯域にデジタル情報を配置して同一放送周波数で放送するＩＢＯＣ放送は知られている（例えば、特許文献１参照）。ＩＢＯＣ放送には大きく分けて２つの放送モードがあり、１つはデジタル放送のみが行われるフルデジタル放送、もう１つはアナログ放送とデジタル放送とが混在するハイブリッド放送がある。
【０００３】
【特許文献１】
特表２００２−５１０８９７号公報（第１０頁、第１図）。
【０００４】
【発明が解決しようとする課題】
ハイブリッド放送ではＩＢＯＣ放送局から同じ放送周波数でアナログ放送とデジタル放送とが同時に放送されるため、従来のアナログ信号のみを検出する方法によるときは、オートシーク時にデジタル放送のみの放送局を検出することはできない。
【０００５】
ＩＢＯＣ放送受信機で使用されるデジタル復調部（ＩＤＭ（ＩＢＯＣ  Ｄｉｇｉｔａｌ  Ｍｏｄｕｌｅ））は受信したＯＦＤＭ信号を復調し、その周波数でデジタル放送がなされていると認識するまでに数百ｍｓの時間を必要とする。そのためにデジタルで放送されている周波数のみをオートシークする場合、各周波数ステップ毎に数百ｍｓ以上の時間がかかるという問題点があった。
【０００６】
本発明は、デジタル放送を行っている放送局をオートシークにより自動的に早く検出することができるＩＢＯＣ放送受信機を提供することを目的とする。
【０００７】
【課題を解決するための手段】
本発明のＩＢＯＣ放送受信機は、ＩＢＯＣ放送受信機において、デジタル放送を行っている放送局をオートシークする際に、アナログ放送およびデジタル放送がされていない周波数においてはデジタル放送であるか否かのチェックを行わず、次のシーク対象の周波数からシークを行わせることを特徴とする。
【０００８】
本発明のＩＢＯＣ放送受信機によれば、デジタル放送を行っている放送局をオートシークする際に、アナログ放送およびデジタル放送がされていない周波数においてはデジタル放送であるか否かのチェックは行われず、次のシーク対象の周波数からシークが行われるために、デジタル放送を行っている放送局を早期に探すことができる。
【０００９】
【発明の実施の形態】
以下、本発明にかかるＩＢＯＣ放送受信機を実施の一形態によって説明する。
【００１０】
図１は本発明の実施の一形態にかかるＩＢＯＣ放送受信機の構成を示すブロック図である。
【００１１】
本発明の実施の一形態にかかるＩＢＯＣ放送受信機１０は、操作指示がなされる入力装置１と、入力装置１からの操作指示信号を入力するメインコントローラ２と、メインコントローラ２からの出力に基づき制御されるチューナ３と、メインコントローラ２からの出力に基づき制御され、かつチューナ３から出力される中間周波信号および後記のデジタルオーディオ信号が入力されてアナログ復調するアナログ復調部４と、メインコントローラ２からの出力に基づき制御され、かつアナログ復調部４におけるベースバンドプロセッサにより処理されたデジタルベースバンド信号を入力してデジタル復調したデジタルオーディオ信号をアナログ復調部４へ出力するデジタル復調部（ＩＤＭ）５と、アナログ復調部４から出力される音声信号を入力して可聴音に変換する音声出力装置６と、メインコントローラ２の制御の下に入力装置１の操作指示に基づく操作内容などを表示する表示装置７を備えている。
【００１２】
上記のＩＢＯＣ放送受信機１０においてデジタル放送のみのオートシークを行う場合、図２のフローチャートに示すように、入力装置１から指示されたオートシーク開始指示およびオートシーク開始周波数に基づき、オートシーク開始周波数をチューナ３に設定して、その周波数の放送をチューナ３により受信させ、オートシークを開始させる（ステップＳ１）。
【００１３】
ステップＳ１に続いて、チューナ３では通常のアナログ放送受信時のオートシークで行われている受信電界強度レベル検出を行うことにより、シーク対象の放送周波数でアナログ放送またはデジタル放送の少なくとも何れかがなされているか否かがチェックされる（ステップＳ２）。ステップＳ２のチェックにおいて、アナログ放送およびデジタル放送がなされていないと判別されると再びステップＳ１から実行されて、次にシークされる放送周波数の設定がなされる。
【００１４】
ステップＳ２のチェックにおいて、アナログ放送またはデジタル放送の何れかがなされていると判定された場合はステップＳ２に続いて、デジタル放送がなされているか否かがチェックされる（ステップＳ３）。ステップＳ３におけるデジタル放送がなされているか否かのチェックはデジタル復調部５に対してポーリング処理を行ってシーク対象の放送周波数にてデジタル放送がなされているか否かで判別することができる。
【００１５】
ステップＳ３において、デジタル放送がなされていないと判別されると、ステップＳ３に続いてステップＳ１から再び実行されて、次のシーク対象の放送周波数の設定がなされる。ステップＳ３においてデジタル放送がなされていると判別されると、デジタル放送のみを行っている放送局が検出されたことになり、オートシークが終了する。
【００１６】
上記のように、ステップＳ２において、ステップＳ１で設定されたシーク対象の放送周波数では、アナログ放送もデジタル放送もされていない場合には、デジタル復調部５によるデジタル放送であるか否かのチェックを行わず、各バンドのステップだけ、すなわち次のシーク対象の放送周波数に移動し、次のシークが開始される。
【００１７】
デジタル放送を自動シークする際にアナログ放送およびデジタル放送がされていない放送周波数のチェックは僅かの期間ですみ、次のステップに進むことができて、操作者に待ち時間を感じさせずに、デジタル放送のみを行っている放送局のオートシークを行うことができる。
【００１８】
上記のオートシークはデジタル放送のみを行っている放送局でなく、アナログ放送とデジタル放送を行っている放送局のオートシークの場合にも同様に適用することができる。
【００１９】
【発明の効果】
以上説明したように、本発明のＩＢＯＣ放送受信機によれば、デジタル放送を行っている放送局をオートシークする際に、アナログ放送およびデジタル放送がされていない周波数においてはデジタル放送であるか否かのチェックを行わず、各バンドのステップだけ、すなわち次のシーク対象の周波数に移動してシークを行うようにしたため、待ち時間を感じさせずに、デジタル放送局のオートシークを行うことができる。
【図面の簡単な説明】
【図１】本発明の実施の一形態にかかるＩＢＯＣ放送受信機の構成を示すブロック図である。
【図２】本発明の実施の一形態にかかるＩＢＯＣ放送受信機の作用の説明に供するフローチャートである。
【符号の説明】
１  入力装置
２  メインコントローラ
３  チューナ
４  アナログ復調部
５  デジタル復調部
６  音声出力装置
７  表示装置
１０  ＩＢＯＣ放送受信機
【図１】
2005012593.tif 000003
【図２】
2005012593.tif 000004